(57)【要約】【課題】収納箱について、その収納箱自身の機構により、物品の収納空間の寸法や形状を簡単に調整可能とする。【解決手段】収納箱を上面板１１と前後面板１２、１３を有する上側の上箱１０と、下面板２１と左右面板２２、２３を有する下側の下箱２０と、から構成する。上箱１０と下箱２０を組み合わせることで、上箱１０の上面板１１および前後面板１２、１３が上面および前後面に、下箱２０の下面板２１および左右面板２１、２２が下面および左右面となり、内部に収納空間が形成される立方体の収納箱となる。上箱１０の前後面板１２、１３に内向きに角筒形に折り曲げ可能な一対の前後幅調整板１４、１４を連設し、下箱２０の左右面板２２、２３に内向きに角筒形に折り曲げ可能な一対の左右幅調整板２４、２４を連設する。前後幅調整板１４、１４および左右幅調整板２４、２４を任意の形状および寸法の角筒形に折り曲げることで、収納空間の前後幅および左右幅を自由に調整可能である。【選択図】図１
2015016879.tif 000002
【特許請求の範囲】
【請求項１】
上面板と上面板の前後からそれぞれ垂下する前面板および後面板を有する上箱と、
下面板と下面板の左右からそれぞれ立ち上がる右面板および左面板を有する下箱と、からなり、
上箱を上側に下箱を下側にして組み合わせることで、
上箱の上面板および下箱の下面板がそれぞれ上面および下面に、上箱の前面板および後面板がそれぞれ前面および後面に、下箱の右面板および左面板がそれぞれ右面および左面となり、内部に物品の収納空間が形成される、六面体の収納箱であって、
前記上箱は、前面板および後面板の左右の側辺のうちの一方の側辺にそれぞれ連設され、かつその左右方向に並列する複数の係止部が設けられた前後一対の前後幅調整板を有し、
前記前後幅調整板を前記前面板および後面板の対向する内面の側において任意の角筒形に折り曲げて、この筒形保持のために前記前面板および後面板の左右の側辺のうちの他方の側辺にもっとも近接する前記係止部をその他方の側辺へと係止させることで、前記収納空間の前後幅の調整が可能となっており、
前記下箱は、右面板および左面板の前後の側辺のうちの一方の側辺にそれぞれ連設され、かつその前後方向に並列する複数の係止部が設けられた左右一対の左右幅調整板を有し、
前記左右幅調整板を前記右面板および左面板の対向する内面の側において任意の角筒形に折り曲げて、この筒形保持のために前記右面板および左面板の前後の側辺のうちの他方の側辺にもっとも近接する前記係止部をその他方の側辺へと係止させることで、前記収納空間の左右幅の調整が可能となっている、収納箱。
【請求項２】
前記上箱は、
前記上面板の対角線上に沿って、前記前面板の左右の側辺のうちの一方の側辺と前記後面板の左右の側辺のうちの他方の側辺とを連結する上斜板を有し、
前記前後一対の前後幅調整板は、前記前面板および後面板の左右の側辺のうち前記上斜板が連結されていない側辺にそれぞれ連設されており、
前記下箱は、
前記下面板の対角線上に沿って、前記右面板の前後の側辺のうちの一方の側辺と前記左面板の前後の側辺のうちの他方の側辺とを連結する下斜板を有し、
前記左右一対の左右幅調整板は、前記右面板および左面板の前後の側辺のうち前記下斜板が連結されていない側辺にそれぞれ連設されており、
前記上斜板と前記下斜板とは、前記上箱を上側に前記下箱を下側にして組み合わせる際に、交差するように配設されており、
前記上斜板は、前記上面板の対角線方向に並列し、その下辺から上方へと延びる複数の易破断線を有し、
前記複数の易破断線間には、その易破断線を破断することで前記上面板の側へと折り曲げることが可能な上下幅調整板が区画されており
前記下斜板は、前記下面板の対角線方向に並列し、その上辺から下方へと延びる複数の易破断線を有し、
前記複数の易破断線間には、その易破断線を破断することで前記下面板の側へと折り曲げることが可能な上下幅調整板が区画されており、
前記上下一対の上下幅調整板をその各易破断線を任意の位置まで破断して折り曲げることで、前記収納空間の上下幅の調整が可能となっている、請求項１に記載の収納箱。
【請求項３】
前記上箱は、
前記前面板の下辺に連設される前フラップおよび後面板の下辺に連設される後フラップを有し、かつ前フラップおよび後フラップはその先端の側に上係合部を有し、
前記下箱は、
前記右面板の上辺に連設される右フラップおよび左面板の上辺に連設される左フラップを有し、かつ右フラップおよび左フラップはその先端の側に下係合部を有し、
前記上箱を上側に前記下箱を下側にして組み合わせる際に、
前記上箱の前フラップおよび後フラップを、前記下箱の下面板の外面の側において重ね合わせて前記上係合部同士を係合させ、
前記下箱の右フラップおよび左フラップを、前記上箱の上面板の外面の側において重ね合わせて前記下係合部同士を係合させることで、上箱と下箱とを固定可能となっている、請求項１または２に記載の収納箱。
【発明の詳細な説明】
【技術分野】
【０００１】
本発明は収納箱に関する。
より詳しくは、本発明は、物品の収納空間の寸法や形状を簡単に調整可能な機構が付属した収納箱に関する。
【背景技術】
【０００２】
従来、ネットショッピング等により購入した物品を配送する際には、特許文献１のように、収納箱と収納した物品との隙間に、発泡スチロール等を物品の外面に沿うように成型してなる緩衝用の枠体を入れて、物品がずれ動くのを防ぐことがおこなわれている。しかし配送後には、これら緩衝用の枠体は不要となるため無駄が多い。
【０００３】
そこで、特許文献２のように、まず台紙に物品をフィルムパックして固定し、次いでその台紙を収納箱の底部に接着剤等で固定することもおこなわれており、この方法でも物品がすれ動くのを防止できるが、物品のフィルムパック作業や収納箱と台紙との貼り付け等の作業に手間がかかる。
【０００４】
以上のような問題は、収納箱自身に、収納した物品がずれ動かないように、収納空間の寸法および形状を簡単に調整できる機構を設けることができれば、別途緩衝用の枠体が用いる必要がなくなり、フィルムパック作業や貼り付け作業等が不要となるため、解決可能である。
【先行技術文献】
【特許文献】
【０００５】
【特許文献１】実用新案登録第３０６３１９９号公報
【特許文献２】特開２００１−２１３４７８号公報
【発明の概要】
【発明が解決しようとする課題】
【０００６】
そこで本発明の解決すべき課題は、収納箱について、その収納箱自身の機構により、物品の収納空間の寸法および形状を簡単に調整可能とすることである。
【課題を解決するための手段】
【０００７】
上記した課題を解決するため、発明にかかる収納箱について、収納空間の前後幅を調整可能な機構と左右幅を調整可能な機構を設けたのである。
具体的には、発明にかかる収納箱を、上面板と上面板の前後からそれぞれ垂下する前面板および後面板を有する上箱と、下面板と下面板の左右からそれぞれ立ち上がる右面板および左面板を有する下箱と、からなり、上箱を上側に下箱を下側にして組み合わせることで、上箱の上面板および下箱の下面板がそれぞれ上面および下面に、上箱の前面板および後面板がそれぞれ前面および後面に、下箱の右面板および左面板がそれぞれ右面および左面となり、内部に物品の収納空間が形成される、六面体の収納箱に構成したのである。
さらに前記上箱は、前面板および後面板の左右の側辺のうちの一方の側辺にそれぞれ連設され、かつその左右方向に並列する複数の係止部が設けられた前後一対の前後幅調整板を有し、前記前後幅調整板を前記前面板および後面板の対向する内面の側において任意の角筒形に折り曲げて、この筒形保持のために前記前面板および後面板の左右の側辺のうちの他方の側辺にもっとも近接する前記係止部をその他方の側辺へと係止させることで、前記収納空間の前後幅の調整が可能に構成したのである。
また前記下箱は、右面板および左面板の前後の側辺のうちの一方の側辺にそれぞれ連設され、かつその前後方向に並列する複数の係止部が設けられた左右一対の左右幅調整板を有し前記左右幅調整板を前記右面板および左面板の対向する内面の側において任意の角筒形に折り曲げて、この筒形保持のために前記右面板および左面板の前後の側辺のうちの他方の側辺にもっとも近接する前記係止部をその他方の側辺へと係止させることで、前記収納空間の左右幅の調整が可能に構成したのである。
なお、ここで述べた上下、前後および左右の関係は、説明の便宜上定めたものに過ぎず、収納箱を回転等させることで、上箱が下側に下箱が上側になって上面板が下方に位置し下面板が上方に位置したり、上箱の前後面板が左右方向に位置したり、下箱の左右面板が前後方向に位置したり、することは無論である。
【０００８】
また、発明にかかる収納箱について、上記前後幅を調整可能な機構と左右幅を調整可能な機構に加えて、収納空間の上下幅を調整可能な機構を設けたのである。
具体的には、発明にかかる収納箱において、前記上箱は、前記上面板の対角線上に沿って、前記前面板の左右の側辺のうちの一方の側辺と前記後面板の左右の側辺のうちの他方の側辺とを連結する上斜板を有し、前記前後一対の前後幅調整板は、前記前面板および後面板の左右の側辺のうち前記上斜板が連結されていない側辺にそれぞれ連設されている構成としたのである。
また前記下箱は、前記下面板の対角線上に沿って、前記右面板の前後の側辺のうちの一方の側辺と前記左面板の前後の側辺のうちの他方の側辺とを連結する下斜板を有し、
前記左右一対の左右幅調整板は、前記右面板および左面板の前後の側辺のうち前記下斜板が連結されていない側辺にそれぞれ連設されている構成としたのである。
さらに前記上斜板と前記下斜板とは、前記上箱を上側に前記下箱を下側にして組み合わせる際に、交差するように配設されている構成としたのである。
そして、前記上斜板は、前記上面板の対角線方向に並列し、その下辺から上方へと延びる複数の易破断線を有し、前記複数の易破断線間には、その易破断線を破断することで前記上面板の側へと折り曲げることが可能な上下幅調整板が区画されているものとし、前記下斜板は、前記下面板の対角線方向に並列し、その上辺から下方へと延びる複数の易破断線を有し、前記複数の易破断線間には、その易破断線を破断することで前記下面板の側へと折り曲げることが可能な上下幅調整板が区画されているものとして、前記上下一対の上下幅調整板をその各易破断線を任意の位置まで破断して折り曲げることで、前記収納空間の上下幅の調整が可能な構成としたのである。
【０００９】
さらに、発明にかかる収納箱について、上箱と下箱とを簡単に固定する機構を設けたのである。
具体的には、前記上箱は、前記前面板の下辺に連設される前フラップおよび後面板の下辺に連設される後フラップを有し、かつ前フラップおよび後フラップはその先端の側に上係合部を有し、前記下箱は、前記右面板の上辺に連設される右フラップおよび左面板の上辺に連設される左フラップを有し、かつ右フラップおよび左フラップはその先端の側に下係合部を有しする構成としたのである。
そして、前記上箱を上側に前記下箱を下側にして組み合わせる際に、前記上箱の前フラップおよび後フラップを、前記下箱の下面板の外面の側において重ね合わせて前記上係合部同士を係合させ、前記下箱の右フラップおよび左フラップを、前記上箱の上面板の外面の側において重ね合わせて前記下係合部同士を係合させることで、上箱と下箱とを固定可能となっている構成としたのである。
【発明の効果】
【００１０】
発明にかかる収納箱を以上のように構成したので、充填材等を用いたり、フィルムパックや板紙の貼り付け作業を要したりすることなく、その収納箱自身の機構により、簡単に物品の収納空間の寸法を調整可能とすることが可能となった。
【図面の簡単な説明】
【００１１】
【図１】収納箱の分解斜視図
【図２】収納箱の斜視図
【図３】上箱の下面図
【図４】下箱の上面図
【図５】収納箱の横断面図
【図６】図５におけるＡ−Ａ縦断面図
【図７】前後幅調整板および左右幅調整板の作用を示す模式図
【図８】下箱の展開図
【図９】下箱の組み立て図
【図１０】上箱の展開図
【発明を実施するための形態】
【００１２】
以下、図面を参照しつつ本発明の実施形態について説明する。
図１のように、実施形態の収納箱は、上箱１０と下箱２０とからなり、上箱１０を上側に下箱２０を下側にして組み合わせることにより、図２のようにほぼ立方体形の箱として組み立てられ、図５および図６のように、その内部に物品Ｇの収納空間が形成されるものである。
実施形態の収納箱には、収納空間の前後幅、左右幅および上下幅を調整可能な機構が付属しており、これにより、物品Ｇが収納空間内でずれ動かないように保持できるようになっている。
【００１３】
図１および図３に示すように、上箱１０は、上面板１１と、上面板１１の前辺および後辺から罫線を介してそれぞれほぼ垂直に垂下する前面板１２および後面板１３を有する。上面板１１、前面板１２および後面板１３は、それぞれほぼ正方形に形成されている。
【００１４】
さらに図１および図３に示すように、上箱１０の前面板１２の左辺および後面板１３の右辺には、それぞれ罫線を介して前後一対の前後幅調整板１４が連設されている。
各前後幅調整板１４は、その左右方向に並列する複数の罫線１４ａを有し、そのうちのいくつかの罫線１４ａを前面板１２および後面板１３の内面および外面のうちの内面の側へと折り曲げることで、三角筒、四角筒など任意の角筒形へと折り曲げることが可能となっている。なお、図面では三角筒に折り曲げられている。
また、各前後幅調整板１４の先端寄りの各罫線１４ａ上には、それぞれコの字型の切り込みが形成されており、この切り込みにより差込片１４ｂが区画されている。罫線１４ａを折り曲げると、その罫線１４ａ上に設けられた差込片１４ｂは起き上がった状態となる。
一方、前面板１２の右辺および後面板１３の左辺の中間部には、それぞれスリット１２ａ、１３ａが形成されている（図１０も参照）。
前面板１２の左辺に連設された前後幅調整板１４を角筒形に折り曲げた状態で、その左右方向に並列する差込片１４ｂのうちで前面板１２の右辺に最も近接する差込片１４ｂを、その右辺に設けられたスリット１２ａに差し込んで係止することができる。
同様に、後面板１３の右辺に連設された前後幅調整板１４を角筒形に折り曲げた状態で、その左右方向に並列する差込片１４ｂのうちで後面板１３の左辺に最も近接する差込片１４ｂを、その左辺に設けられたスリット１３ａに差し込んで係止することができる。
これにより、角筒の形状が保持され、前後幅調整板１４が意図せずして折り畳まれることが防止される。すなわち、差込片１４ｂが係止部として機能する。なお、係止部としてはこのような差込構造に限定されることはなく、粘着テープなど他の構成を採用してもよい。
前後一対の前後幅調整板１４を任意の形状や寸法の角筒形に折り曲げることで、収納箱の収納空間の前後幅を自由に調整することが可能となっている。
【００１５】
図１および図３に示すように、上箱１０の前面板１２の右辺と後面板１３の左辺、すなわち左右の辺のうち前後幅調整板１４が連設されていない辺同士は、上面板１１の対角線上に配置された上斜板１５により連結されている。
上斜板１５には、その下辺から上方にかけて延びる易破断線としてのミシン目１５ａが、上面板１１の対角線方向に２つ並列して形成されている。なお、易破断線としては、ミシン目以外にも、弱め線、ハーフカット線等が挙げられる。左右一対のミシン目１５ａの間には、上下幅調整板１６、１７が区画されている。
上下幅調整板１６、１７は、上下方向に並列する複数の罫線１６ａ、１７ａを有し、左右一対のミシン目１５ａを破断することで、この罫線１６ａでもって上面板１１の側へと折り返し可能となっている。
さらに上下幅調整板１６は、一対のミシン目１５ａの中間地点に形成されたＶ字型の切り欠き１５ｂによって、左右に分割されている。したがって、右側の上下幅調整板１６と左側の上下幅調整板１７とで前後逆方向に折り返し可能となっている。図３のように、この実施形態では、右側の上下幅調整板１６を前面板１２に向けて、左側の上下幅調整板１７を後面板１３に向けて折り返している。
ミシン目１５ａを適宜位置まで破断して上下幅調整板１６、１７を折り返すことで、収納箱の収納空間の上下幅を自由に調整することが可能となっている。
【００１６】
図１のように、上箱１０の前面板１２の下縁には、罫線を介して前フラップ１８が連設され、後面板１３の下縁には、罫線を介して後フラップ１９が連設されている。
前フラップ１８および後フラップ１９は、それぞれほぼ三角形に形成されており、その先端には鉤状の係合部１８ａ、１９ａが形成されている。
上箱１０を下箱２０に組み合わせた状態で、前フラップ１８および後フラップ１９を下箱２０の下面板２１の外面の側に重ね合わせ、係合部１８ａ、１９ａ同士を引っ掛けることで、上箱１０が下箱２０を前フラップ１８と後フラップ１９とで抱き込んだ状態となる。したがって、上箱１０と下箱２０とが物品Ｇの収納状態において分離しないように固定される。
このような係合部１８ａ、１９ａの構造は鉤状のものに限られず、たとえば面ファスナなどでもよい。
【００１７】
一方、図１および図４に示すように、下箱２０は、下面板２１と、下面板２１の右辺および左辺から罫線を介してそれぞれほぼ垂直に立ち上がる右面板２２および左面板２３を有する。下面板２１、右面板２２および左面板２３は、それぞれほぼ正方形に形成されている。
【００１８】
図１および図４に示すように、下箱２０の右面板２２の前辺および左面板２３の後辺には、それぞれ罫線を介して左右一対の左右幅調整板２４が連設されている。
各左右幅調整板２４は、その前後方向に並列する複数の罫線２４ａを有し、そのうちのいくつかの罫線２４ａを右面板２２および左面板２３の内面および外面のうちの内面の側へと折り曲げることで、三角筒、四角筒など任意の角筒形へと折り曲げることが可能となっている。なお、図面では三角筒に折り曲げられている。
また、各左右幅調整板２４の先端寄りの各罫線２４ａ上には、それぞれコの字型の切り込みが形成されており、この切り込みにより差込片２４ｂが区画されている。罫線２４ａを折り曲げると、その罫線２４ａ上に設けられた差込片２４ｂは起き上がった状態となる。
一方、右面板２２の後辺および左面板２３の前辺の中間部には、それぞれスリット２２ａ、２３ａが形成されている（図８も参照）。
右面板２２の前辺に連設された左右幅調整板２４を角筒形に折り曲げた状態で、その前後方向に並列する差込片２４ｂのうちで右面板２２の後辺に最も近接する差込片２４ｂを、その後辺に設けられたスリット２２ａに差し込んで係止することができる。
同様に、左面板２３の後辺に連設された左右幅調整板２４を角筒形に折り曲げた状態で、その前後方向に並列する差込片２４ｂのうちで左面板２３の前辺に最も近接する差込片２４ｂを、その前辺に設けられたスリット２３ａに差し込んで係止することができる。
これにより、角筒の形状が保持され、左右幅調整板２４が意図せずして折り畳まれることが防止される。すなわち、差込片２４ｂが係止部として機能する。なお、係止部としてはこのような差込構造に限定されることはなく、粘着テープなど他の構成を採用してもよい。
左右一対の左右幅調整板２４を任意の形状や寸法の角筒形に折り曲げることで、収納箱の収納空間の左右幅を自由に調整することが可能となっている。
【００１９】
図１および図４に示すように、下箱２０の右面板２２の後辺と左面板２３の前辺、すなわち前後の辺のうち左右幅調整板２４が連設されていない辺同士は、下面板２１の対角線上に配置された下斜板２５により連結されている。
図１等からもわかるように、この下斜板２５は、上箱１０の上斜板１５と交差する状態に配設されている。
下斜板２５には、その上辺から下方にかけて延びる易破断線としてのミシン目２５ａが、下面板２１の対角線方向に２つ並列して形成されている。なお、易破断線としては、ミシン目以外にも、弱め線、ハーフカット線等が考えられる。左右一対のミシン目２５ａの間には、上下幅調整板２６、２７が区画されている。
上下幅調整板２６、２７は、上下方向に並列する複数の罫線２６ａ、２７ａを有し、左右一対のミシン目２５ａを破断することで、この罫線２６ａでもって下面板２１の側へと折り返し可能となっている。
さらに上下幅調整板２６、２７は、一対のミシン目２５ａの中間地点に形成されたＶ字型の切り欠き２５ｂによって、左右に分割されている。したがって、右側の上下幅調整板２６と左側の上下幅調整板２７とで前後逆方向に折り返し可能となっている。図示のように、この実施形態では、右側の上下幅調整板２６を右面板２２（前側）に向けて、左側の上下幅調整板２７を左面板２３（後側）に向けて折り返している。
ミシン目２５ａを適宜位置まで破断して上下幅調整板２６、２７を折り返すことで、上記した上箱１０の上下幅調整板１６、１７の折り返しと協働して、収納箱の収納空間の上下幅を自由に調整することが可能となっている。
【００２０】
図１のように、下箱２０の右面板２２の上縁には、罫線を介して右フラップ２８が連設され、左面板２３の上縁には、罫線を介して左フラップ２９が連設されている。
右フラップ２８および左フラップ２９は、それぞれほぼ三角形に形成されており、その先端には鉤状の係合部２８ａ、２９ａが形成されている。
下箱２０を上箱１０に組み合わせた状態で、右フラップ２８および左フラップ２９を上箱１０の上面板１１の外面の側に重ね合わせ、係合部２８ａ、２９ａ同士を引っ掛けることで、下箱２０が上箱１０を右フラップ２８と左フラップ２９とで抱き込んだ状態となる。したがって、上記した上箱１０の前フラップ１８と後フラップ１９とによる下箱２０の抱き込みと協働して、上箱１０と下箱２０とが物品Ｇの収納状態において分離しないように固定される。
このような係合部２８ａ、２９ａの構造は鉤状に限られず、たとえば面ファスナなどでもよい。
【００２１】
上箱１０および下箱２０の各構成は以上のようであり、次に図２のように、上箱１０を上側に下箱２０を下側にして両者を組み合わせ、上箱１０の前フラップ１８と後フラップ１９を下箱２０の下面板２１上で、下箱２０の右フラップ２８と左フラップ２９を上箱１０の上面板１１の上で、それぞれ係合させて組み立てる。
すると、上箱１０の上面板１１が上面に、前面板１２と後面板１３とがそれぞれ前面および後面に、下箱２０の下面板２１が下面に、右面板２２と左面板２３とがそれぞれ右面および左面となる、立法体形（正六面体形）の収納箱が組み上がる。
【００２２】
この場合に、図５のように、収納箱の内部の収納空間の前後幅は、上箱１０の角筒形に折り曲げられた前後一対の前後幅調整板１４間の距離によって規制され、左右幅は、下箱２０の角筒形に折り曲げられた左右一対の左右幅調整板２４の距離によって規制される。
図７のように、収納すべき物品Ｇの前後左右方向の寸法に応じて、上箱１０の前後幅調整板１４および下箱２０の左右幅調整板２４を折り曲げて形成する角筒の形状および寸法を任意に調整することで、物品Ｇを収納箱内において前後左右方向にずれ動かないように保持することができる。
【００２３】
ちなみに図５のように、収納箱の組み上げ時には、下箱２０の左右一対の角筒形に折り曲げられた左右幅調整板２４の間に上箱１０の前後一対の角筒形に折り曲げられた前後幅調整板１４が進入する。
このとき、上箱１０の前面板１２に連設された前後幅調整板１４の進入経路に近接する、下箱２０の左側の上下幅調整板２７の折り返し方向は、前側の前後幅調整板１４の進入経路とは逆向きの後ろ向きである。また、上箱１０の後面板１３に連設された前後幅調整板１４の進入経路に近接する、下箱２０の右側の上下幅調整板２６の折り返し方向は、後側の前後幅調整板１４の進入経路とは逆向きの前向きである。
したがって、下箱２０の上下幅調整板２６、２７が、上箱１０の前後幅調整板１４の進入経路上に飛び出して両者が干渉してしまうことが防止されている。
同様に、上箱１０の一対の前後幅調整板１４の間に下箱２０の一対の左右幅調整板２４が図５のように進入するところ、上箱１０の右側の上下幅調整板１６の折り返し方向は、近接する下箱２０の右面板２２に連設された左右幅調整板２４の進入経路とは逆向きである。また、上箱１０の左側の上下幅調整板１７の折り返し方向は、近接する下箱２０の左面板２３に連設された左右幅調整板２４の侵入経路とは逆向きである。したがって、上箱１０の上下幅調整板１６、１７が、下箱２０の左右幅調整板２４の進入経路上に飛び出して両者が干渉してしまうことが防止されている。
こうして上箱１０と下箱２０の部材同士の干渉およびそれにともなう破損が防止され、収納箱のスムーズな組み上げが可能となっている。
【００２４】
また図６のように、収納箱の内部の収納空間の上下幅は、上箱１０の上斜板１５のミシン目１５ａを適宜深さまで破断させて折り返された上下幅調整板１６、１７の底部と、下箱２０の下斜板２５のミシン目２５ａを適宜深さまで破断させて折り返された上下幅調整板２６、２７の頂部との距離によって規制される。
したがって、収納すべき物品Ｇの上下方向の寸法に応じて、上箱１０のミシン目１５ａの破断深さや下箱２０のミシン目２５ａの破断深さを任意に調整することで、物品Ｇを収納箱内において上下方向にずれ動かないように保持することができる。
【００２５】
このような上箱１０および下箱２０としては、それぞれ一枚のブランクから組み立てられるのが、製造コスト等の面から好ましい。
図８に、そのような下箱２０のブランクの一例を示す。右面板２２の下辺には継代２１ａが付属する下面板２１が連設され、上辺には右フラップ２８が、右辺には右側の左右幅調整板２４が、左辺には下斜板２５を介して左面板２３が、それぞれ連設されている。左面板２３の上辺には左フラップ２９が、左辺には左側の左右幅調整板２４が、それぞれ連設されている。
【００２６】
図９に、このような下箱のブランクから下箱２０を組み立てる一例を示す。
まず図９（ａ）のように、下面板２１に対して右面板２２が直角になるように折り曲げる。次いで（ａ）から（ｂ）のように、下斜板２５および左面板２３を、下斜板２５が下面板２１の対角線上に位置し、左面板２３が右面板２２と平行になるように、すなわち右面板２２、下斜板２５および左面板２３が上方から見てＺ字型になるように折り曲げる。左面板２３の内面の下辺近傍には、下面板２１に付属する継代２１ａを接着する。
さらに図９（ｃ）のように、右側の左右幅調整板２４を収納する物品の形状および寸法に対応させて角筒形に折り曲げてその差込片２４ｂを右面板２２のスリット２２ａに差し込む。同様に図９（ｄ）のように、左側の左右幅調整板２４を角筒形に折り曲げてその差込片２４ｂを左面板２３のスリット２３ａに差し込む。
その後、収納する物品の形状および寸法に対応させて下斜板２５のミシン目２５ａを破断させて下斜板内に区画された上下幅調整板を折り返すことで、下箱２０が完成する。
【００２７】
上箱１０についても、同様にして一枚のブランクから組み立てることが可能である。
図１０にそのような上箱１０のブランクの一例を示す。前面板１２の下辺には継代１１ａが付属する上面板１１が連設され、上辺には前フラップ１８が、左辺には前側の前後幅調整板１４が、右辺には上斜板１５を介して後面板１３が、連設されている。後面板１３の上辺には後フラップ１９が、右辺には後側の前後幅調整板１４が、それぞれ連設されている。
下箱２０の場合と同様に、上面板１１に対して前面板１２が直角になるように折り曲げ、前面板１２、上斜板１５および後面板１３がＺ字型になるように折り曲げ、後面板１３に上面板１１の継代１１ａを接着し、両前後幅調整板を角筒形に折り曲るなどして、上箱１０が作製される。
【００２８】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００２９】
たとえば実施形態では、上箱１０の上面板１１、前後面板１２、１３および下箱２０の下面板２１、左右面板２２、２３は正方形となっているが、これに限定されず長方形でもよい。同様に実施形態では、収納箱は立方体となっているが、これに限定されず直方体などでもよい。
実施形態では、上箱１０の前後フラップ１８、１９および下箱２０の左右フラップ２８、２９は三角形となっているが、これに限定されず四角形、半円形などでもよい。これら前後フラップ１８、１９および左右フラップ２８、２９は省略可能であり、その係合以外の態様により、上箱１０と下箱２０とを固定してもよい。そのような態様の一例として、上箱１０と下箱２０を組み合わせた状態で、両者を四角筒形のスリーブに収容することが挙げられる。
上箱１０および下箱２０の上下幅調整板１６、１７、２６、２７は、実施形態ではそれぞれ左右に分割されているが、それぞれ単一の上下幅調整板としてもよい。また、上下幅調整板を省略することも可能である。上下幅調整板を省略した場合には、前後一対の前後幅調整板１４と左右一対の左右幅調整板２４とで、物品Ｇを前後左右から挟みこむように、すなわち物品Ｇとこれら幅調整板との隙間がほとんどない状態に調整すると、物品Ｇが上下にずれ動くことが抑制される。
【符号の説明】
【００３０】
１０  上箱
１１  上面板
１１ａ  継代
１２  前面板
１２ａ  スリット
１３  後面板
１３ａ  スリット
１４  前後幅調整板
１４ａ  罫線
１４ｂ  差込片
１５  上斜板
１５ａ  ミシン目
１５ｂ  切り欠き
１６、１７  上下幅調整板
１６ａ、１７ａ  罫線
１８  前フラップ
１８ａ  係合部
１９  後フラップ
１９ａ  係合部
２０  下箱
２１  下面板
２１ａ  継代
２２  右面板
２２ａ  スリット
２３  左面板
２３ａ  スリット
２４  左右幅調整板
２４ａ  罫線
２４ｂ  差込片
２５  下斜板
２５ａ  ミシン目
２５ｂ  切り欠き
２６、２７  上下幅調整板
２６ａ、２７ａ  罫線
２８  右フラップ
２８ａ  係合部
２９  左フラップ
２９ａ  係合部
Ｇ  物品
【図１】
2015016879.tif 000003
【図２】
2015016879.tif 000004
【図３】
2015016879.tif 000005
【図４】
2015016879.tif 000006
【図５】
2015016879.tif 000007
【図６】
2015016879.tif 000008
【図７】
2015016879.tif 000009
【図８】
2015016879.tif 000010
【図９】
2015016879.tif 000011
【図１０】
2015016879.tif 000012